(57)【要約】      （修正有）【課題】塗布や稲わらの巻付けなどの特殊な作業を要することなく、樹木に幅広く適用することができる寒害防止材を提供する。【解決手段】樹木１０１に巻き付けて装着し樹木の寒害を防止する寒害防止材１１であって、袋体と、袋体の内部空間に充填された植物バイオマス４１と、を備える寒害防止材である。樹木の表面に面する帯状の第１シートと、第１シートとの間に内部空間を形成する帯状の第２シートと、第１シートの内面と第２シートの内面とを両帯状の連続方向に沿って接合する上接合部と、第１シートの内面と第２シートの内面とを両帯状の連続方向に沿って上接合部と離れて接合する下接合部と、を有してなり、上接合部と下接合部との間の第１シート内面及び第２シート内面によって内部空間が規定される。【選択図】図６
0003200112.tif 000002
【実用新案登録請求の範囲】
【請求項１】
樹木に巻き付けて装着し樹木の寒害を防止する寒害防止材であって、
袋体と、袋体の内部空間に充填された植物バイオマスと、を備える寒害防止材。
【請求項２】
樹木の表面に面する帯状の第１シートと、第１シートとの間に内部空間を形成する帯状の第２シートと、第１シートの内面と第２シートの内面とを両帯状の連続方向に沿って接合する上接合部と、第１シートの内面と第２シートの内面とを両帯状の連続方向に沿って上接合部と離れて接合する下接合部と、を有してなり、
上接合部と下接合部との間の第１シート内面及び第２シート内面によって前記内部空間が規定される、請求項１に記載の寒害防止材。
【請求項３】
前記連続方向の所定位置における前記内部空間の断面積が該所定位置の両側よりも小さいくびれ部を有する、請求項２に記載の寒害防止材。
【請求項４】
くびれ部は、前記連続方向に対して垂直な上接合部と下接合部とを結ぶ線分の少なくとも一部に沿って第１シート内面と第２シート内面とが接合されて形成されるものである、請求項３に記載の寒害防止材。
【請求項５】
袋体の外面に前記連続方向に沿って一縁が取り付けられ、他縁が袋体よりも下方に垂下する帯体を有するものである、請求項２乃至４のいずれか１に記載の寒害防止材。
【請求項６】
第１シートの下縁部と下接合部との間の第１シートの部分及び／又は第２シートの下縁部と下接合部との間の第２シートの部分が、前記帯体を形成するものである、請求項５に記載の寒害防止材。
【請求項７】
袋体の両端のうち少なくとも一方に、植物バイオマスが充填されていない端シート部を有するものである、請求項１乃至６のいずれか１に記載の寒害防止材。
【請求項８】
内部空間を規定する袋体内面同士の距離が、所定距離以内に保たれるように該距離の増加を規制する内面距離制限手段を有するものである、請求項１乃至７のいずれか１に記載の寒害防止材。
【請求項９】
内面距離制限手段が、袋体を貫通する棒状又は線状の貫通部と、貫通部の一端に取り付けられ袋体の外面に当接する一端当接部と、貫通部の他端に取り付けられ袋体の外面に当接する他端当接部と、を含んでなるものである、請求項８に記載の寒害防止材。
【請求項１０】
袋体の両端近傍に取り付けられた縛着ひもを有するものである、請求項１乃至９のいずれか１に記載の寒害防止材。
【請求項１１】
前記植物バイオマスは、プレーナ−屑、オガ屑、樹皮、葉、モミ殻、ワラ、刈草よりなる群より選ばれる１又は２以上のものの混合物である、請求項１乃至１０のいずれか１に記載の寒害防止材。
【請求項１２】
前記植物バイオマスは、ヒノキのプレーナ−屑、オガ屑、樹皮、葉よりなる群より選ばれる１又は２以上のものの混合物である、請求項１１に記載の寒害防止材。
【請求項１３】
袋体が、外部から内部への液体水の通過を禁止し、内部から外部への水蒸気の通過を許容するものである、請求項１乃至１２のいずれか１に記載の寒害防止材。
【請求項１４】
樹木と、請求項１乃至１３のいずれか１に記載の該樹木に巻き付けられた寒害防止材と、を含んでなる寒害防止構造。
【請求項１５】
上段に巻き付けられた請求項５又は６に記載の寒害防止材の帯体が、下段に巻き付けられた寒害防止材を樹木から見て外方から覆うように巻き付けられたものである、請求項１４に記載の寒害防止構造。
【請求項１６】
樹木に巻き付けられた請求項７に記載の寒害防止材の端シート部が、樹木に固定されたものである、請求項１４又は１５に記載の寒害防止構造。
【考案の詳細な説明】
【技術分野】
【０００１】
本考案は、樹木用の寒害防止材に関し、より詳細には、樹木の表面に装着することで樹木の寒害を防止する寒害防止材に関する。
【背景技術】
【０００２】
樹木の寒害防止策はこれまで種々のものが提案されてきた（例えば、特許文献１参照）。
特許文献１には、「凍害、凍乾害のほか、果実に対する防虫、防鳥、防獸効果もある樹木等の防御塗料及びこの防御塗料を用いた防御方法を提供する」（特許文献１、発明の詳細な説明中の段落番号０００６）ためになされたもので、具体的には、「４０％〜６０％重量比のチタン水溶液と３０％〜４０％重量比のモビニール等のバインダーに対して、２０％〜３０％重量比のハーブの植物精油のエキスを単独又は複数種ブレンドしたものを含浸させて形成したことを特徴とする防御塗料」（特許文献１、請求項１）が開示されている。かかる防御塗料によれば、「この塗料が樹木の主幹や側枝に塗布されることにより、日中の温度上昇と温度低下を防止できるため、樹木の急激な温度変化による凍害や樹木の日焼けを回避できる。また、春期には樹体温の上昇による耐凍性を遅らせると共に、凍結後の急激な温度上昇による凍害の被害の拡大を回避できる。また、防御塗料中に含まれるチタン水溶液が空気中の酸素と結合して酸化チタンとなり、この酸化チタンが太陽光線を受けて光触媒作用をして、抗菌、防泥、防汚作用があるので、樹木の汚染による劣化も防御される。さらに、この塗料を樹木の主幹の地際から所要範囲に亙って塗布、散布するか、側枝にも塗布、散布することでハーブ成分による害虫防止機能が発揮されるので、樹木が、害虫の被害から防御される。」（特許文献１、発明の詳細な説明中の段落番号００１２）というものである。
また、非特許文献１には、樹木全体を稲わらで厚く巻いて凍害から樹木を保護することが開示されている。
【先行技術文献】
【特許文献】
【０００３】
【特許文献１】特開２００６−７５０６８号公報（例えば、要約、段落番号０００１〜００１２、第１図、第２図等）
【非特許文献１】堀本宗清、「ひょうごの農業技術」、兵庫県立中央農業技術センター、平成１１年１１月１日、Ｎｏ．１０６、第６頁
【考案の概要】
【考案が解決しようとする課題】
【０００４】
このような特許文献１に開示されたような防御塗料は、「樹木の主幹や側枝に塗布されることにより、日中の温度上昇と温度低下を防止できるため、樹木の急激な温度変化による凍害や樹木の日焼けを回避できる。また、春期には樹体温の上昇による耐凍性を遅らせると共に、凍結後の急激な温度上昇による凍害の被害の拡大を回避できる」（特許文献１、発明の詳細な説明中の段落番号００１２）が、樹木に塗布する必要があることから、特殊な作業（塗布作業）を要するため適用が制限されるといった問題があった。
そして、非特許文献１に開示された稲わらで樹木を巻いて保護することも、稲わらを樹木に巻き付ける必要があることから、特殊な作業（稲わらの巻き付け作業）を要するため適用が制限されるといった問題があった。
そこで、本考案では、特殊な作業を要することなく、樹木に幅広く適用することができる寒害防止材を提供することを目的とする。
【課題を解決するための手段】
【０００５】
本考案の樹木用の寒害防止材（以下、「本防止材」という。）は、樹木に巻き付けて装着し樹木の寒害を防止する寒害防止材であって、袋体と、袋体の内部空間に充填された植物バイオマスと、を備える寒害防止材である。
本防止材は、袋体と、該袋体の内部空間に充填された植物バイオマスと、を備えるものであり、これを樹木に巻き付けて装着することで、本防止材の保温効果（断熱効果）によって該樹木の表面の温度低下を減少させ、該樹木への寒害を防止するものである。
袋体は、その内部空間に植物バイオマスが充填された状態で、樹木に巻き付けて装着することができるものであり、通常は、連続方向に細長い形状のものを例示することができる。
植物バイオマスは、植物の生物体を構成する有機物をいい、木屑（例えば、プレーナ−屑、オガ屑、樹皮、葉）、モミ殻、ワラ、刈草等を例示でき、該袋体の内部空間に充填される。
【０００６】
本防止材においては、樹木の表面に面する帯状の第１シートと、第１シートとの間に内部空間を形成する帯状の第２シートと、第１シートの内面と第２シートの内面とを両帯状の連続方向に沿って接合する上接合部と、第１シートの内面と第２シートの内面とを両帯状の連続方向に沿って上接合部と離れて接合する下接合部と、を有してなり、上接合部と下接合部との間の第１シート内面及び第２シート内面によって前記内部空間が規定されるもの（以下、「シート形成本防止材」という。）であってもよい。
このように帯状の第１シート及び第２シートとを、両帯状の連続方向に沿って両内面を接合する上接合部と、両帯状の連続方向に沿って上接合部と離れて両内面を接合する下接合部と、により接合することで、上接合部と下接合部との間の第１シート内面及び第２シート内面によって前記内部空間を形成すれば、帯状の第１シート及び第２シートという汎用物によって容易かつ確実に前記内部空間を形成することができる。なお、「両帯状の連続方向に沿って接合する」とは、別体の第１シート及び第２シートを両帯状の連続方向に沿って取り付ける（例えば、接着や融着）ことのみならず、第１シート及び第２シートを形成する原シートを第１シート及び第２シートの境となるべき線に沿って折り曲げることも含む。
【０００７】
シート形成本防止材の場合、前記連続方向の所定位置における前記内部空間の断面積が該所定位置の両側よりも小さいくびれ部を有するもの（以下、「くびれ部具備本防止材」という。）であってもよい。
こうすることで第１シート及び第２シートがなす両帯状の連続方向の所定位置に「くびれ部」が形成され、くびれ部においては前記内部空間の断面積（前記連続方向に対して垂直な平面による断面）が該所定位置（該くびれ部が形成されている位置）の両側よりも小さい。このためくびれ部には、充填される植物バイオマスの量が少ないことから、くびれ部における本防止材の折り曲げが容易となり、本防止材を樹木に巻き付けて装着する作業を容易ならしめる。
【０００８】
くびれ部具備本防止材の場合、くびれ部は、前記連続方向に対して垂直な上接合部と下接合部とを結ぶ線分の少なくとも一部に沿って第１シート内面と第２シート内面とが接合されて形成されるものであってもよい。
このように上接合部と下接合部とを結ぶ線分（両帯状の前記連続方向に対して垂直な線分）の少なくとも一部に沿って、第１シート内面と第２シート内面とを接合してくびれ部を形成するので、第１シート内面と第２シート内面とを接合（例えば、接着や融着）するという簡単な作業によって容易にくびれ部を形成できる。
【０００９】
シート形成本防止材の場合、袋体の外面に前記連続方向に沿って一縁が取り付けられ、他縁が袋体よりも下方に垂下する帯体を有するもの（以下、「帯体具備本防止材」という。）であってもよい。
こうすることで樹木に本防止材を巻き付けて装着した際、巻き付けられた上下の本防止材同士間を帯体が塞ぐように配置でき（上段に巻き付けられた本防止材の帯体が、下段に巻き付けられた本防止材を樹木から見て外方から覆うように巻き付ける）、それによって雨水、塵、風等が上下の本防止材同士間を通って樹木側に進入することを防止又は減少させることができる（水分や塵といった異物の進入を防止又は減少させ、風の進入を防止又は減少させることで本防止材の寒害防止効果を高めることができる。）。
【００１０】
帯体具備本防止材の場合、第１シートの下縁部と下接合部との間の第１シートの部分及び／又は第２シートの下縁部と下接合部との間の第２シートの部分が、前記帯体を形成するものであってもよい。
こうすることで、第１シートの下縁部よりも上方に下接合部を形成すること及び／又は第２シートの下縁部よりも上方に下接合部を形成することによって、容易かつ確実に前記帯体を形成することができる（前記帯体の前記他縁が袋体よりも下方に垂下し、巻き付けられた上下の本防止材同士間を帯体がうまく塞ぐことができるように、第１及び／又は第２シート下縁部と下接合部との間の距離が決定されればよい。）。
【００１１】
本防止材においては、袋体の両端のうち少なくとも一方に、植物バイオマスが充填されていない端シート部を有するもの（以下、「端シート部具備本防止材」という。）であってもよい。
こうすることで、樹木に本防止材を巻き付けて装着する際、樹木に巻き付けた端シート部を縛着ひも等により樹木に縛り付けることで樹木へ本防止材を簡単に装着することができる（端シート部は植物バイオマスが充填されていないので、樹木に巻き付けたり縛り付けたりすることが容易である。）。
【００１２】
本防止材においては、内部空間を規定する袋体内面同士の距離が、所定距離以内に保たれるように該距離の増加を規制する内面距離制限手段を有するもの（以下、「内面距離制限本防止材」という。）であってもよい。
袋体の内部空間に充填された植物バイオマスは、重力やその他の力によって該内部空間を移動し偏在することがあり、それによって植物バイオマスが少ない袋体の部分においては寒害防止効果（断熱効果）が不十分になる可能性がある。植物バイオマスの該内部空間の移動は、該内部空間を規定する袋体内面同士の距離が大きいと容易になる（植物バイオマスが偏在しやすくなる）ことから、該距離の増加を規制する内面距離制限手段を有するようにすれば、植物バイオマスの偏在を防止又は減少させることができる。なお、袋体の内部空間の連続方向に沿って所定間隔毎に内面距離制限手段を設けるようにすれば、植物バイオマスの偏在を一層効果的に防止又は減少させることができる。
内面距離制限手段が該距離の増加を規制する所定距離（該距離の上限）は、あまり小さいと内面距離制限手段近傍部分の植物バイオマス厚みが小さくなって内面距離制限手段近傍部分の断熱効果が少なくなり寒害を十分防止できず、逆にあまり大きいと植物バイオマスの偏在をうまく防止又は減少させることができないので、これらを両立する範囲とされてもよく、好ましくは４ｍｍ以上、より好ましくは６ｍｍ以上、最も好ましくは１０ｍｍ以上、そして好ましくは２４ｍｍ以下、より好ましくは１９ｍｍ以下、最も好ましくは１４ｍｍ以下である。
【００１３】
内面距離制限本防止材の場合、内面距離制限手段が、袋体を貫通する棒状又は線状の貫通部と、貫通部の一端に取り付けられ袋体の外面に当接する一端当接部と、貫通部の他端に取り付けられ袋体の外面に当接する他端当接部と、を含んでなるもの（以下、「貫通内面距離制限本防止材」という。）であってもよい。
こうすることで、本防止材を構成する袋体を棒状又は線状の貫通部が貫通し、貫通部の一端に取り付けられた一端当接部と、貫通部の他端に取り付けられた他端当接部と、の両当接部が袋体の外面に当接するので、前記内部空間を規定する袋体内面同士の距離の増加を、貫通部の長さに応じて確実に規制することができる（該距離に対応するように貫通部を配置する）。
【００１４】
本防止材においては、袋体の両端近傍に取り付けられた縛着ひもを有するものであってもよい。
本防止材は樹木に巻き付けて装着されるが、その際、縛着ひもを該樹木に縛り付けることで、本防止材の樹木への装着を容易かつ確実ならしめる。
【００１５】
本防止材においては、前記植物バイオマスは、プレーナ−屑、オガ屑、樹皮、葉、モミ殻、ワラ、刈草よりなる群より選ばれる１又は２以上のものの混合物であってもよい。
前述の通り、植物バイオマスは、植物の生物体を構成する有機物をいうが、具体的には、木屑（例えば、プレーナ−屑、オガ屑、樹皮、葉）、モミ殻、ワラ、刈草等を例示でき、とりわけ木屑（例えば、プレーナ−屑、オガ屑、樹皮、葉）を用いると、製材所等から大量に廃棄されている木屑を有効利用でき、さらに木屑の中でもプレーナ−屑、オガ屑、樹皮を用いると耐久性にも優れるので、本防止材を長寿命とすることができる。
そして、前記植物バイオマスが、ヒノキのプレーナ−屑、オガ屑、樹皮、葉とすれば、モモやブドウ等の樹木にホモプシス腐敗病を生じるホモプシス属菌に対し顕著な抑制効果を奏するので、本防止材を装着する樹木のホモプシス属菌による悪影響（例えば、ホモプシス腐敗病）を抑制できる。
【００１６】
本防止材においては、袋体が、外部から内部への液体水の通過を禁止し、内部から外部への水蒸気の通過を許容するものであってもよい。
このように袋体が、袋体外部から袋体内部への液体水の通過を禁止すると共に、袋体内部から袋体外部への水蒸気の通過を許容することで、本防止材を装着した樹木や袋体内部の植物バイオマスへ雨水、霜、雪等による水分の進入を防止又は減少させる（防水）と共に何らかの原因により本防止材を装着した樹木や袋体内部の植物バイオマスへ水分が進入した場合にはその水分が蒸発して除去（透湿）されるので、本防止材を装着した樹木や袋体内部の植物バイオマスの水分劣化を防止又は減少させることができる。
【００１７】
本考案は、本防止材を用いた樹木の寒害防止構造（以下、「本構造」という。）を提供する。
本構造は、樹木と、該樹木に巻き付けられた本防止材と、を含んでなる寒害防止構造である。
上述の如く、本防止材は、袋体とその内部空間に充填された植物バイオマスとを備えるものであり、これを樹木に巻き付けて装着することで、本防止材の保温効果（断熱効果）によって該樹木の表面の温度低下を減少させ、該樹木への寒害を防止するものであるので、樹木とそれに巻き付けられた本防止材とを含んでなる寒害防止構造を構成することができる。
【００１８】
本構造においては、本防止材として帯体具備本防止材を用いることができ、かかる場合、上段に巻き付けられた帯体具備本防止材の帯体が、下段に巻き付けられた帯体具備本防止材を樹木から見て外方から覆うように巻き付けられたものであってもよい。
こうすることで、巻き付けられた上下の本防止材同士間を帯体が塞ぐので、それによって雨水、塵、風等が上下の本防止材同士間を通って樹木側に進入することを防止又は減少させることができる（水分や塵といった異物の進入を防止又は減少させ、風の進入を防止又は減少させることで本構造における寒害防止効果を高めることができる。）。
【００１９】
本構造においては、本防止材として端シート部具備本防止材を用いることができ、かかる場合、樹木に巻き付けられた端シート部具備本防止材の端シート部が、樹木に固定されたものであってもよい。
こうすることで、樹木に本防止材を巻き付けて装着する際、樹木に巻き付けた端シート部をひも等により樹木に縛り付けることで樹木へ本防止材を簡単に装着することができる（端シート部は植物バイオマスが充填されていないので、樹木に巻き付けたり縛り付けたりすることが容易である。）。
【００２０】
本防止材は種々の方法により製造することができるが、例えば、次のような製造方法（以下、「本製造方法」という。）により製造されてもよい。
即ち、本製造方法は、本防止材の製造方法であって、前記袋体を形成する開口を有する袋物の内部空間に、該開口から植物バイオマスをスクリューコンベアによって装入する充填ステップと、該開口を封鎖し該袋物を前記袋体とする封鎖ステップと、を含んでなる、製造方法である。
本製造方法は、充填ステップと封鎖ステップとを含んでなる。
本防止材を構成する前記袋体となる袋物を用意する。該袋物は、該袋物の内部空間を外部と連通させる開口を有している（該袋物の該開口を封鎖すれば、前記袋体となる。）。
充填ステップにおいては、該開口を経由しスクリューコンベアによって該袋物の内部空間に植物バイオマスを装入する。植物バイオマスは、嵩高く、通常の方法では円滑な移送が難しい場合があるが、スクリューコンベアを用いることによって該開口から袋物の内部空間に植物バイオマスをうまく装入することができる。
封鎖ステップにおいては、充填ステップにおいて植物バイオマスが内部空間に装入された該袋物の該開口を封鎖し該袋物を前記袋体として、本防止材が完成される。
【００２１】
本製造方法は、貫通内面距離制限本防止材を製造することができ、かかる場合は、一端当接部及び他端当接部が前記袋体の外部に存するように、前記袋体の外面から貫通部をうちこんで前記袋体を貫通させる貫通ステップを充填ステップの後に含むものであってもよい。
このように本製造方法の充填ステップの後に貫通ステップを行うことで、充填ステップにおいて植物バイオマスが偏在なく該内部空間に装入されたことを確認（貫通ステップを行う前であれば、植物バイオマスの該内部空間の移動は制限されないので、該内部空間において偏在があれば容易に修正できる。）した後に、植物バイオマスの該内部空間の移動を制限するための貫通ステップを行うので、該内部空間における植物バイオマスの偏在をうまく防止又は減少させることができる。なお、貫通ステップは、充填ステップの後に行えばよく、封鎖ステップの前であっても後であってもよい。
【００２２】
本防止材は種々の寒害防止方法に用いることができるが、例えば、次のような寒害防止方法（以下、「本防止方法」という。）に用いられてもよい。
即ち、本防止方法は、本防止材を用いた寒害防止方法であって、寒害を防止すべき樹木に本防止材を巻き付けて装着する装着ステップを含んでなる、寒害防止方法である。
上述の如く、本防止材は、袋体とその内部空間に充填された植物バイオマスとを備えるものであり、これを樹木に巻き付けて装着することで、本防止材の保温効果（断熱効果）によって該樹木の表面の温度低下を減少させ、該樹木への寒害を防止するものである。このため、装着ステップにおいて、寒害を防止すべき樹木に本防止材を巻き付けて装着することで本防止材を該樹木の寒害防止方法に用いることができる。
【００２３】
本防止方法においては、本防止材として帯体具備本防止材を用いることができ、かかる場合、装着ステップにおいて、上段に巻き付けられた該寒害防止材の帯体が、下段に巻き付けられた該寒害防止材を樹木から見て外方から覆うように巻き付けるものであってもよい。
こうすることで、巻き付けられた上下の本防止材同士間を帯体が塞ぐように配置され、それによって雨水、塵、風等が上下の本防止材同士間を通って樹木側に進入することを防止又は減少させることができる（水分や塵といった異物の進入を防止又は減少させ、風の進入を防止又は減少させることで本防止方法における寒害防止効果を高めることができる。）。
【００２４】
本防止方法においては、本防止材として端シート部具備本防止材を用いることができ、かかる場合、装着ステップにおいて、前記樹木に巻き付けた端シート部を、前記樹木に固定するものであってもよい。
こうすることで、樹木に本防止材を巻き付けて装着する際、樹木に巻き付けた端シート部をひも等により樹木に縛り付けることで樹木へ本防止材を簡単に装着することができる（端シート部は植物バイオマスが充填されていないので、樹木に巻き付けたり縛り付けたりすることが容易である。）。
【図面の簡単な説明】
【００２５】
【図１】本考案の一実施形態の樹木用寒害防止材（本防止材）の正面図（一部省略）である。
【図２】図１のＡ−Ａ端面図である。
【図３】図１のＢ−Ｂ端面図である。
【図４】図１のＣ−Ｃ端面図である。
【図５】図５（ａ）は図１のＤ−Ｄ端面図であり、そして図５（ｂ）は図１のＥ−Ｅ端面図である。
【図６】寒害を防止すべき樹木に本防止材を装着したところの上端部分を示す断面図である。
【図７】本防止材の製造方法の第１ステップを示す図である。
【図８】本防止材の製造方法の第２ステップを示す図である。
【図９】本防止材の製造方法の第３ステップを示す図である。
【図１０】本防止材を装着した樹木表面の温度変化を示す図である。
【図１１】本防止材を装着した樹木の寒害による枯死又は衰弱の発生率を示す図である。
【図１２】ヒノキのプレーナー屑によるホモプシス属菌の抑制効果を示す図である。
【考案を実施するための形態】
【００２６】
本考案の実施の形態を図面を参照して詳述するが、本考案はこれに限定されるものではない。
【００２７】
図１は、本考案の一実施形態の樹木用寒害防止材（本防止材）１１の正面図（一部省略）であり、図２は図１のＡ−Ａ端面図であり、図３は図１のＢ−Ｂ端面図であり、図４は図１のＣ−Ｃ端面図であり、図５（ａ）は図１のＤ−Ｄ端面図であり、そして図５（ｂ）は図１のＥ−Ｅ端面図である。図１乃至図５を参照して、本防止材１１について説明する。
本防止材１１は、大まかには、袋部２１と、袋部２１の内部に装入（充填）された充填物４１と、袋部２１を構成する表シート２３及び裏シート２５を連結するように袋部２１を貫通する貫通ピン５１と、袋部２１の端部に取り付けられた縛着ひも６１と、を備えてなる。
【００２８】
袋部２１は、液体の水は通過させないが湿気を通過させる性質を有する住宅建築用の透湿防水シート（具体的には、ここでは三菱樹脂インフラテック株式会社製の「アウトール」（登録商標）の型番「ＨＤ」）を用いて形成しており、具体的には、主表面が長方形を略なすこの透湿防水シートを該長方形の両長辺からの距離が等しく該両長辺と平行な該主表面に存する折り線に沿って１８０度折ることで、その折り線を境に分割され形成された表シート２３及び裏シート２５を有してなる。袋部２１は、図１に示すように幅Ｗで長さＬの袋状をなしているが、該折り線に沿って形成された折縁部２４と、折縁部２４に略平行な縁部である自由縁部２６（表シート２３の縁部である表縁部２６ａと、裏シート２５の縁部である裏縁部２６ｂ、とを有してなる。）と、が長手方向Ｙに平行になっている（折縁部２４及び自由縁部２６（表縁部２６ａ、裏縁部２６ｂ）は長手方向Ｙに略平行である。）。ここで袋部２１を形成するのに用いたシート（ここでは透湿防水シート）は、ポリエチレン製であるが、これに限定されるものではなく、例えば、ポリエチレンやポリプロピレン等のようなポリオレフィン、ポリエステル等によって形成されたものを用いてもよい。また、袋部２１を透湿防水（液体水は通過不可であるが湿気は通過可能）とすることで、本防止材１１を装着した樹木や充填物４１へ雨水、霜、雪等のような水分の進入を防止又は減少させる（防水）と共に何らかの原因により本防止材１１を装着した樹木や充填物４１へ水分が進入した場合にはその水分が蒸発して除去されるので好ましい（透湿）。そして、後述の通り、樹木に本防止材１１をらせん状に巻き付けて装着する際の作業性を考慮すると、幅Ｗはあまり小さいと巻き付け作業の効率が低下（樹木の長手方向に沿って多く巻き付ける必要が生じる）するし、あまり大きいと、巻き付ける樹木の表面に本防止材１１がうまく沿わない（樹木形状への追随性が低下し、フィット感が悪くなる）ので、これらを両立する範囲とされてもよく、好ましくは１０ｃｍ以上、より好ましくは１５ｃｍ以上、最も好ましくは２０ｃｍ以上、そして好ましくは５０ｃｍ以下、より好ましくは４０ｃｍ以下、最も好ましくは３０ｃｍ以下であり、長さＬはあまり小さいと本防止材１１の本数が増加（本防止材１１を樹木に取り付ける作業が増加する）するし、あまり大きいと巻き付け作業時のハンドリングが低下（巻き付け作業において、本防止材１１を引き回すのが困難になる）するので、これらを両立する範囲とされてもよく、好ましくは９０ｃｍ以上、より好ましくは１２０ｃｍ以上、最も好ましくは１５０ｃｍ以上、そして好ましくは４２０ｃｍ以下、より好ましくは３６０ｃｍ以下、最も好ましくは３００ｃｍ以下である。
【００２９】
表シート２３の内面２３ａと裏シート２５の内面２５ａとは、自由縁部２６（表縁部２６ａ、裏縁部２６ｂ）から折縁部２４方向に距離Ｆ離れたところで長手方向Ｙに連続して融着されることで横融着部３１（長手方向Ｙに略平行）が形成されている。そして、表シート２３の内面２３ａと裏シート２５の内面２５ａとは、自由縁部２６（表縁部２６ａ、裏縁部２６ｂ）から折縁部２４方向に向かって長さＪ分が連続して融着されることで下融着部３２（なお、下融着部３２の形成方向は長手方向Ｙ及び自由縁部２６（表縁部２６ａ、裏縁部２６ｂ）に対して垂直である。）が等間隔Ｋ毎に形成されている。加えて、表シート２３の内面２３ａと裏シート２５の内面２５ａとは、折縁部２４から自由縁部２６（表縁部２６ａ、裏縁部２６ｂ）方向に向かって長さＭ分が連続して融着されることで上融着部３３（なお、上融着部３３の形成方向は長手方向Ｙ及び折縁部２４に対して垂直である。）が等間隔Ｎ毎に形成されている（ここではＮ＝Ｋとされている）。なお、ここでは上融着部３３と下融着部３２とが、袋部２１の長手方向Ｙに対して垂直な同じ断面に現れるように形成されている（上融着部３３と下融着部３２とは袋部２１の長手方向Ｙに関して同じ位置に略形成されている。）。上融着部３３及び下融着部３２は、樹木に本防止材１１をらせん状に巻き付けて装着する際、本防止材１１が柔軟に容易に屈曲することで樹木に巻き付けやすくするため（巻き付け作業の作業性向上）のものであるので、所望程度の柔軟性や屈曲性を得られる程度にＪ、Ｍ、Ｎ（＝Ｋ）が決定されればよい（Ｊ及びＭが増加すると柔軟性や屈曲性が増加し、Ｊ及びＭが減少すると柔軟性や屈曲性が減少する。またＮ（＝Ｋ）が増加すると柔軟性や屈曲性が減少し、Ｎ（＝Ｋ）が減少すると柔軟性や屈曲性が増加する。）。
【００３０】
そして、袋部２１の両端近傍には、横融着部３１から折縁部２４まで連続して融着されることで端融着部３５、３６が形成されている（端融着部３５、３６の形成方向は長手方向Ｙ及び折縁部２４に対して垂直である。）。端融着部３５、３６は袋部２１の両端を封鎖するものであるが（内部空間２２を封鎖する）、封鎖を確実ならしめるため、端融着部３５は一対の融着部３５ａ、３５ｂを含むと共に、端融着部３６は一対の融着部３６ａ、３６ｂを含んでなる。
このようにして袋部２１は、横融着部３１と端融着部３５、３６とによって形成された内部空間２２を有している。そして、袋部２１は、端融着部３５、３６よりも外側に、表シート２３及び裏シート２５が互いに重合した端耳部２７、２８を有している。端耳部２７、２８は、後述の如く、樹木に本防止材１１を装着（巻き付け）する際、樹木に巻き付けた端耳部２７、２８を縛着ひも６１にて樹木に縛り付けることで樹木への本防止材１１の装着を容易にするためのものであるので、樹木に巻き付けるべき端耳部の長さに応じて長手方向Ｙに沿った長さＺ１、Ｚ２を決めればよい。さらに、袋部２１は、横融着部３１と自由縁部２６（表縁部２６ａ、裏縁部２６ｂ）との間に、表シート２３及び裏シート２５が互いに重合した下耳部２９を有している。下耳部２９は、後述の如く、樹木に本防止材１１を装着（巻き付け）した際、巻き付けられた上下の本防止材１１同士間を塞いで雨水、塵、風等が樹木１０１側に進入することを防止又は減少させるものであるので、それに応じて距離Ｆは適宜決定すればよい。
【００３１】
充填物４１は、ヒノキ（檜）のプレーナー屑を用いている。
このプレーナー屑は、長辺５ｍｍ〜３０ｍｍ（ここにいう長辺とは、互いに平行な一対の平面のいずれにもプレーナー屑が当接している状態において、該一対の平面に対するプレーナー屑の方向を様々に変化させた際に該一対の平面の間の最大の距離をいう）、短辺１ｍｍ〜５ｍｍ（ここにいう短辺とは、互いに平行な一対の平面のいずれにもプレーナ−屑が当接している状態において、長辺を軸としてプレーナ−屑を回転させた際に該一対の平面の間の最大の距離をいう）、厚さ０．１ｍｍ〜０．３ｍｍ（ここにいう厚さとは、互いに平行な一対の平面のいずれにもプレーナ−屑が当接している状態において、長辺を軸としてプレーナ−屑を回転させた際に該一対の平面の間の最小の距離をいう）のものを用いている（このプレーナー屑の寸法は上記の範囲外であると、後述の充填ステップが円滑に行えない場合があり、具体的には、長辺が上記範囲よりも小さいと袋部２１の内部空間２２において充填物４１（プレーナー屑）が偏在しやすくなり、長辺が上記範囲よりも大きいと充填物４１（プレーナー屑）が嵩高すぎて袋部２１の内部空間２２への充填作業が困難になり、短辺が上記範囲よりも小さいと袋部２１の内部空間２２において充填物４１（プレーナー屑）が偏在しやすくなり、短辺が上記範囲よりも大きいと充填物４１（プレーナー屑）が嵩高すぎて袋部２１の内部空間２２への充填作業が困難になり、厚さが上記範囲よりも小さいと袋部２１の内部空間２２への充填物４１（プレーナー屑）の充填作業時に充填物４１（プレーナー屑）の微粉化が生じ、袋部２１の内部空間２２において充填物４１（プレーナー屑）が偏在しやすくなり、厚さが上記範囲よりも大きいと充填物４１（プレーナー屑）の剛性が大きすぎて袋部２１の内部空間２２への充填物４１（プレーナー屑）の充填作業が困難になると共に袋部２１（横融着部３１、端融着部３５、３６、上融着部３３、下融着部３２を含む）の損傷を引き起こす可能性が増加する。
【００３２】
袋部２１の内部空間２２への充填物４１（プレーナー屑）の充填作業におけるプレーナー屑の含水率（全乾法による湿量基準含水率）は、あまり低いと袋部２１の内部空間２２への充填物４１（プレーナー屑）の充填作業において静電気発生による作業効率の低下及び粉塵爆発の危険性を増加させ、あまり高いと充填物４１（プレーナー屑）の熱伝導率が上昇し本防止材１１の断熱性を損なう（寒害を十分防止できない）ので、これらを両立する範囲として１０％〜２０％とされてもよい。該含水率を増加させるには吸湿させればよいし、減少させるには乾燥すればよい。
充填物４１たるプレーナー屑は、袋部２１の内部空間２２に充填されているが、この充填量はあまり少ないと断熱効果が少なくなり寒害を十分防止できず、逆にあまり多いと本防止材１１を樹木に装着（巻き付け）すること（後述）が困難となるので、これらを両立する範囲とされてもよく、内部空間２２の容積Ｖ（ｃｍ３）に対するプレーナー屑の重量ｄ（ｇ）の充填倍率（ｄ／Ｖ）が０．７〜１．３としてもよい。具体的には、プレーナー屑としては、製材工場のモルダーから発生したヒノキプレーナー屑を目開き１ｍｍのふるいを用いて微粉を除去することで、短辺１ｍｍ以上、長辺３０ｍｍ以下、厚み０．３ｍｍ以下、充填前かさ密度０．３４ｇ／ｃｍ３、含水率（湿量基準）１２％のものを用い、充填倍率（ｄ／Ｖ）を変化させ、表シート２３外面２３ｂと裏シート２５外面２５ｂとの間の熱伝導率を熱伝導率測定装置（英弘精機株式会社製、ＨＣ０７４／２００）を用いて測定（「ＪＩＳ  Ａ  １４１２−２」（熱流計法）に準拠。測定厚さ２５ｍｍ）した。その結果、（充填倍率（ｄ／Ｖ）（単位：ｇ／ｃｍ３），熱伝導率（単位：Ｗ／ｍＫ））＝（０．６，０．０４９）、（１．０，０．０４７）、（１．４，０．０４４）との結果が得られた。即ち、充填倍率（ｄ／Ｖ）が０．６〜１．４の範囲内では、充填倍率（ｄ／Ｖ）が増加すると熱伝導率が低下（断熱効果向上）することが判明した。また、本防止材１１の裏シート２５が硬い水平面（例えば、頑丈なテーブルの上面）に当接した状態において、表シート２３に圧力２５ｇ／ｃｍ３を加えた場合の厚み（該硬い水平面と、表シート２３の表面のうち該硬い水平面から最も離れている部分と、の間の距離）が２５ｍｍ〜４５ｍｍの範囲を外れると本防止材１１の樹木への装着作業（巻き付け）が困難となることから充填倍率（ｄ／Ｖ）を変化させ該厚み（ｍｍ）を測定したところ、（充填倍率（ｄ／Ｖ）（単位：ｇ／ｃｍ３），厚み（単位：ｍｍ））＝（０．６，２４）、（１．０，３３）、（１．４，５３）との結果が得られた。これら充填倍率（ｄ／Ｖ）の変化に伴う熱伝導率及び厚みの変化から、充填倍率（ｄ／Ｖ）の好ましい範囲として０．７〜１．３を決定した。
【００３３】
貫通ピン５１は、ここでは所謂「タグピン」として用いられる合成樹脂製のものを使用しており、具体的には、真っ直ぐな線材からなる連結部５３と、連結部５３の一端に取り付けられた一端当接部５５と、連結部５３の他端に取り付けられた他端当接部５７と、を有してなり（特に図４参照）、一端当接部５５及び他端当接部５７はいずれも真っ直ぐな棒材から形成されており、連結部５３がのびる方向に対して垂直方向にのびるように連結部５３に取り付けられている（貫通ピン５１全体では、アルファベットの「Ｈ」に似た形状をなしている。）。一端当接部５５は表シート２３の外面２３ｂに当接すると共に、他端当接部５７は裏シート２５の外面２５ｂに当接しており、一端当接部５５と他端当接部５７との間の距離は連結部５３によって所定距離よりも増加することが制限されるので、貫通ピン５１が配設された部分の本防止材１１の厚み（表シート２３外面２３ｂと裏シート２５外面２５ｂとの間の距離）は増加が規制されている（該厚みが所定厚みを超えて増加しないようになっている。）。
この貫通ピン５１による本防止材１１の厚みの上限規制は、袋部２１の内部空間２２に充填された充填物４１の流動を規制することで充填物４１が内部空間２２にて偏ることを防止又は減少させるためのものであり、該上限はあまり小さいと貫通ピン５１近傍部分の断熱効果が少なくなって該部分における寒害を十分防止できず、逆にあまり大きいと充填物４１の偏りを防止又は減少させることができないので、これらを両立する範囲とされてもよく、好ましくは５ｍｍ以上、より好ましくは７ｍｍ以上、最も好ましくは１１ｍｍ以上、そして好ましくは２５ｍｍ以下、より好ましくは２０ｍｍ以下、最も好ましくは１５ｍｍ以下である。
【００３４】
縛着ひも６１は、袋部２１の両端部に一対取り付けられており、具体的には、ポリエチレン製の柔軟な線材によって形成されている。該線材の中心部分が表シート２３及び裏シート２５の間で両シート２３、２５に融着されることで縛着ひも６１は袋部２１に取り付けられており、後述するように本防止材１１を樹木に縛り付けて装着する際に使用することができる。
【００３５】
次いで本防止材１１の使用方法について説明する。
図６は、寒害を防止すべき樹木１０１に本防止材１１を装着したところの上端部分を示す断面図であり、ここでは鉛直方向（鉛直上方向を図６中では矢印Ｑ１にて示し、鉛直下方向を図６中では矢印Ｑ２にて示す）に向かって真っ直ぐに伸びた幹部分に本防止材１１を装着し、その幹部分の中心を通る鉛直面で切断した断面を示している。なお、図示及び理解を容易にするため、図６に現れる本防止材１１の端面は、図１におけるＢ−Ｂ端面（即ち図３に同じ）のものを用いているが、実際にはこれとは異なる端面（例えば、図１におけるＡ−Ａ端面やＣ−Ｃ端面）が現れることもある。図６を参照して、本防止材１１の使用方法について説明する。
まず、本防止材１１の使用方法の第１ステップとしては、端耳部２７を樹木１０１の下端（樹木１０１の寒害を防止すべき部分の下端）近傍に巻き付けた後、一対の縛着ひも６１の一方（ここでは端耳部２７側）によって端耳部２７を樹木１０１に縛り付ける。
【００３６】
そして、本防止材１１の使用方法の第２ステップとして、樹木１０１の長手方向（図６では、ここでは鉛直方向）に沿って樹木１０１に本防止材１１を下から上にらせん状に巻き付けていく。このとき図６に示すように、本防止材１１の下耳部２９が下方に向く状態として、下の段の本防止材１１の上部を覆うように巻き付けていく（例えば、図６において、本防止材１１ａの上に存する本防止材１１ｂの下耳部２９が本防止材１１ａの上部を覆っている。）。このように上段の本防止材１１の下耳部２９がその直下の本防止材１１の上部を覆うように本防止材１１を樹木１０１に下から上にらせん状に巻き付けていくことで、巻き付けられた上下の本防止材１１同士間に隙間を生じないことから、巻き付けられた上下の本防止材１１同士間から雨水、塵、風等が樹木１０１側に進入することを防止又は減少させ、かつ保温性向上により寒害を効果的に防止又は減少させることができる。
本防止材１１の使用方法の第３ステップとして、樹木１０１に本防止材１１を下から上に巻き付けていき、端耳部２８を樹木１０１に巻き付けた後、一対の縛着ひも６１の他方（ここでは端耳部２８側）によって端耳部２８を樹木１０１に縛り付けて樹木１０１への本防止材１１の装着が完了する（この装着完了の状態を図６は示している）。なお、樹木１０１のさらに上の部分に別の本防止材１１を同様に装着してもよい。
【００３７】
本防止材１１の製造方法について説明する。
まず、本防止材１１の製造方法の第１ステップとして、図７に示す袋物２２１を準備する。袋物２２１は袋部２１を構成するものであり、ここでは液体の水は通過させないが湿気を通過させる性質を有する住宅建築用の透湿防水シート（具体的には、ここでは三菱樹脂インフラテック株式会社製の「アウトール」（登録商標）の型番「ＨＤ」）を前記折り線にて折った後（折縁部２４となる）、横融着部３１、下融着部３２、上融着部３３、端融着部３５（３５ａ、３５ｂ）を熱融着により形成する（例えば、折縁部２４により分割された表シート２３及び裏シート２５（両シート２３、２５ともポリエチレン製）の両内面２３ａ、２５ａ同士をヒートシーラー等によって熱融着してもよい。）。こうして準備された袋物２２１は一端（図７においては右端）が開放された細長い袋形状をなしている。
【００３８】
次いで、本防止材１１の製造方法の第２ステップとして、図８に示すように、袋物２２１に充填物４１たる前述したプレーナー屑３０１をスクリューコンベア装置４０１を用いて充填する。なお、図８においては、袋物２２１は表シート２３及び裏シート２５の間で切断した断面を示している。
スクリューコンベア装置４０１は、プレーナー屑３０１を受け入れるホッパー４０３と、ホッパー４０３からプレーナー屑３０１を移送するスクリューコンベア４０５と、を備えてなり、さらにスクリューコンベア４０５は、移送用のスクリュー４０７と、スクリュー４０７を内部で回転自在に収容する管状のケーシング４０８と、スクリュー４０７を回転させる駆動部４０９（電動機及び変速機を含む）と、を有している。このようなスクリューコンベア装置４０１のホッパー４０３にプレーナー屑３０１を装入し（図８中、矢印Ｓ）、駆動部４０９を運転してスクリュー４０７を回転させることでプレーナー屑３０１はスクリューコンベア４０５により移送され、スクリューコンベア４０５の先端から図８中の矢印Ｔ方向に吐出される。このためスクリューコンベア４０５の先端を、袋物２２１の開放された一端から袋物２２１内部に差し入れることで、袋物２２１内部にプレーナー屑３０１を充填することができる（なお、袋物２２１内部にプレーナー屑３０１を偏りなく充填するために、スクリューコンベア４０５の先端に対して袋物２２１を進退（図８中では左右）させつつ充填すればよい。）。
【００３９】
そして本防止材１１の製造方法の第３ステップとして、第２ステップの充填が完了した後、図９に示すように、プレーナー屑３０１が充填された袋物２２１に端融着部３６（融着部３６ａ、３６ｂ）を形成する。袋物２２１は、端融着部３６（融着部３６ａ、３６ｂ）の形成によって袋部２１となる。この端融着部３６（融着部３６ａ、３６ｂ）は、表シート２３及び裏シート２５の両内面２３ａ、２５ａ同士をヒートシーラー等によって熱融着して形成してもよい。
【００４０】
そして本防止材１１の製造方法の第４ステップとして、第３ステップにて端融着部３６（融着部３６ａ、３６ｂ）が形成されプレーナー屑３０１が封入された袋部２１に貫通ピン５１をうちこむ。ここでは貫通ピン５１としては、株式会社トスカバノック社製の商品名「ＴＡＧＰＩＮ−Ｕ」を用いており、貫通ピン５１をうちこむ装置としては、株式会社トスカバノック社製の商品名「Ｂａｎｏ’ｋ５０３−Ｘ」を用いる。
さらに、袋部２１の両端部に縛着ひも６１をそれぞれ取り付けて、本防止材１１が完成される。なお、貫通ピン５１のうちこみと縛着ひも６１の取り付けとは順番を問わない。
【００４１】
（樹木表面の温度変化）
充填倍率（ｄ／Ｖ）が０．８の本防止材１１を、樹木１０１たるモモ若木（清水白桃の若木）に装着（巻き付け）し、樹木１０１の樹幹表面（樹皮表面、樹皮のうち、ここでは南側に位置する部分）の温度を測定した（平成２７年３月１４日〜１５日、岡山県赤磐市）。本防止材１１の効果を確認するため、樹木用寒害防止材として従来から使用されてきた稲わら（例えば、「ひょうごの農業技術」、兵庫県立中央農業技術センター、Ｎｏ．１０６、平成１１年１１月１日、第６頁）も、樹木１０１たるモモ若木に装着（巻き付け）し、樹木１０１の樹幹表面（樹皮表面、南側に位置する部分）の温度を測定した。また、このような本防止材１１や稲わらによる寒害防止対策を施していない樹木１０１の樹幹表面（樹皮表面、南側に位置する部分）の温度も測定した。図１０に、これらの本防止材１１を装着した樹幹表面温度（図１０においては「試作保護材」（白丸○））、稲わらを装着した樹幹表面温度（図１０においては「稲わら巻き」（黒三角▲））そして無対策の樹幹表面温度（図１０においては「無処理」（黒四角■））を気温と共に示した。
図１０に示すように、本防止材１１は、従来から使用されてきた稲わらと同等又はそれ以上の保温性能を有しており（本防止材１１がより高い保温性能を奏すべき場合には、充填倍率（ｄ／Ｖ）を増加すればよい。）、十分な寒害防止効果を奏することが明らかになった。加えて、昼間の温度上昇は、稲わらよりも本防止材１１の方が小さいことから（本防止材１１の表面が白色であることも貢献していると考えられる）、稲わらよりも本防止材１１を用いる方が、夜間の温度は高く、昼間の温度は低くなり、樹皮の急激な温度変化を防止できる。樹皮の急激な温度変化は、樹木１０１の寒害（特に凍害）を助長するので、かかる点からも、稲わらよりも本防止材１１を用いる方が寒害を効果的に防止することができる。
加えて、樹木１０１としてブドウやクリの木を用いて同様の実験を行ったところ、上述のモモ若木の場合と同様の結果が得られた。
【００４２】
（寒害防止効果）
図１０に示した本防止材１１を装着した樹木１０１（モモ若木）、稲わらを装着した樹木１０１（モモ若木）、そして寒害対策を施していない樹木１０１（モモ若木）それぞれについて、凍害による枯死又は衰弱の発生率を比較した。具体的には、モモ若木の中から無作為に２１本の樹木（モモ若木）を選んだグループを３個形成し、この３個のグループのうち１個については本防止材１１を地表から５０ｃｍの高さまで装着（巻き付け）し（図１１中、「試作保護材」）、該３個のグループのうち別の１個については稲わらを地表から５０ｃｍの高さまで装着（巻き付け）し（図１１中、「稲わら巻き」）、そして３個のグループのうち最後の１個については何も対策を行わなかった（図１１中、「無処理」）。この状態で平成２５年２月９日〜４月５日まで岡山県赤磐市にて該３個のグループを同じ条件で栽培した。図１１に、各グループの中で枯死したものの割合、衰弱したものの割合、そして正常であったものの割合を示した。
図１１から明らかなように、本防止材１１を装着した樹木１０１は枯死又は衰弱したものはなく、本防止材１１は稲わらよりも凍害を顕著に防止することが判明した。
【００４３】
（装着の作業性）
樹木１０１に寒害対策を施す場合の作業性を評価した。具体的には、本防止材１１を樹木１０１（モモ若木）の主幹部に装着（巻き付け）するための時間と、稲わらを該主幹部に装着（巻き付け）するための時間と、を測定した。本防止材１１を装着するための時間は９２秒であったのに対し、稲わらを装着するための時間は１６３秒であり、本防止材１１を装着するための時間は稲わらを用いた場合の約５６％（９２／１６３×１００）であった。このことから本防止材１１による寒害対策の作業負荷は稲わらを用いた寒害対策の作業負荷よりも大幅に軽減されることが明らかになった。
【００４４】
（ヒノキのプレーナー屑によるホモプシス属菌の抑制効果）
ヒノキのノコ屑と、スギのノコ屑と、を用い、ジャガイモ・ショ糖寒天培地上のホモプシス属菌の生育に対するペーパーアクションによる抑制効果を評価した。具体的には、ジャガイモ・ショ糖寒天培地を使いてシャーレ内の平板培地とし、この培地の中央にホモプシス属菌の接種源を置いた。その接種源を覆うようにヒノキのノコ屑をふりかけたシャーレと、その接種源を覆うようにスギのノコ屑をふりかけたシャーレと、対照としてその接種源に何もふりかけないシャーレと、を用意した。これら３のシャーレを室温にて培養し、培養後にシャーレの底面側からこれらのシャーレを写真撮影した。図１２に、撮影した写真を示す。図１２においては、ヒノキのノコ屑をふりかけたシャーレを「ヒノキ  ノコ屑」とし、スギのノコ屑をふりかけたシャーレを「スギ  ノコ屑」とし、何もふりかけないシャーレを「対照」として示した。また、これらのシャーレ内の存する菌そう直径を測定したところ、対照が３．３７ｍｍ、スギのノコ屑が３．５１ｍｍ、そしてヒノキのノコ屑が１．２２ｍｍであり、ヒノキのノコ屑はホモプシス属菌に対して顕著な抑制効果（菌糸阻止率：（３．３７−１．２２）／３．３７×１００＝約６４％）を有することが明らかになった（スギのノコ屑はほとんど抑制効果を有さない）。
このように、モモやブドウ等の樹木にホモプシス腐敗病を生じるホモプシス属菌に対し、ヒノキのプレーナー屑が顕著な抑制効果を奏することが明らかになった。このことからヒノキのプレーナー屑を充填物４１として用いた本防止材１１は、これを装着（巻き付け）した樹木のホモプシス属菌による悪影響（例えば、ホモプシス腐敗病）を抑制すると考えられる。
【００４５】
このように本防止材１１は、従来から寒害対策に用いられてきた稲わらに比して、樹木への装着の作業負荷は小さく、十分な寒害防止効果を奏するものである。加えて、コンバインの普及によって、樹木に巻き付け可能な稲わらが減少している現在においても本防止材１１は容易に構成でき、稲わらを樹木に巻き付けるような習熟を要する作業を必要とせずに本防止材１１は容易に樹木に装着（巻き付け）することができる。
また、ヒノキのプレーナー屑を充填物４１とした本防止材１１は、これを装着（巻き付け）した樹木の寒害を防止するのみならず、ホモプシス属菌による悪影響（例えば、ホモプシス腐敗病）を抑制するものと考えられる。
加えて、本防止材１１は、従来から寒害対策に用いられてきた稲わらに比して、樹木に接している部分（巻き付け部）のカビの発生を防止又は減少させることができると共に、植物バイオマスを使用していることから容易に廃棄することができる（例えば、袋部２１がポリオレフィンやポリエステルによって形成されていれば、植物バイオマスと一緒に燃焼廃棄させても有毒ガスの発生を防止又は減少させることができる。）。
【００４６】
以上の通り、本防止材１１は、樹木１０１に巻き付けて装着し樹木１０１の寒害を防止する寒害防止材であって、袋体（ここでは袋部２１のうち折縁部２４と横融着部３１との間の部分）と、袋体（袋部２１のうち折縁部２４と横融着部３１との間の部分）の内部空間２２に充填された植物バイオマス（ここでは充填物４１たるヒノキのプレーナー屑）と、を備える寒害防止材である。
本防止材１１は、樹木１０１の表面に面する帯状の第１シート（裏シート２５）と、第１シート（裏シート２５）との間に内部空間２２を形成する帯状の第２シート（表シート２３）と、第１シートの内面（裏シート２５の内面２５ａ）と第２シートの内面（表シート２３の内面２３ａ）とを両帯状の連続方向（ここでは長手方向Ｙ）に沿って接合する上接合部（ここでは折縁部２４であり、ここにいう「接合」は折り曲げによるものである。）と、第１シートの内面（裏シート２５の内面２５ａ）と第２シートの内面（表シート２３の内面２３ａ）とを両帯状の連続方向（長手方向Ｙ）に沿って上接合部（折縁部２４）と離れて接合する下接合部（ここでは横融着部３１）と、を有してなり、上接合部（折縁部２４）と下接合部（横融着部３１）との間の第１シート内面（裏シート２５の内面２５ａ）及び第２シート内面（表シート２３の内面２３ａ）によって前記内部空間２２が規定される。
【００４７】
本防止材１１は、前記連続方向（長手方向Ｙ）の所定位置（ここでは上融着部３３と下融着部３２とが形成されている位置。一例としては、図１のＡ−Ａ断面位置である。）における前記内部空間２２の断面積が該所定位置の両側よりも小さいくびれ部（上融着部３３と下融着部３２とによって内部空間２２の断面が絞られている部分）を有する。
本防止材１１においては、くびれ部は、前記連続方向（長手方向Ｙ）に対して垂直な上接合部（折縁部２４）と下接合部（横融着部３１）とを結ぶ線分の少なくとも一部に沿って第１シート内面（裏シート２５の内面２５ａ）と第２シート内面（表シート２３の内面２３ａ）とが接合（上融着部３３、下融着部３２）されて形成されるものである。
【００４８】
本防止材１１においては、袋体（袋部２１のうち折縁部２４と横融着部３１との間の部分）の外面に前記連続方向（長手方向Ｙ）に沿って一縁（ここでは下耳部２９のうち横融着部３１に沿った縁）が取り付けられ、他縁（ここでは自由縁部２６（表縁部２６ａ、裏縁部２６ｂ））が袋体（袋部２１のうち折縁部２４と横融着部３１との間の部分）よりも下方に垂下する帯体（ここでは下耳部２９）を有するものである。
本防止材１１においては、第１シート（裏シート２５）の下縁部（裏縁部２６ｂ）と下接合部（横融着部３１）との間の第１シート（裏シート２５）の部分及び第２シート（表シート２３）の下縁部（表縁部２６ａ）と下接合部（横融着部３１）との間の第２シート（表シート２３）の部分が、前記帯体（下耳部２９）を形成するものである。
【００４９】
本防止材１１は、袋体（袋部２１のうち折縁部２４と横融着部３１との間の部分）の両端のうち少なくとも一方（ここでは両方）に、植物バイオマス（充填物４１たるヒノキのプレーナー屑）が充填されていない端シート部（ここでは端耳部２７、２８）を有するものである。
本防止材１１は、内部空間２２を規定する袋体内面（裏シート２５の内面２５ａ、表シート２３の内面２３ａ）同士の距離が、所定距離以内に保たれるように該距離の増加を規制する内面距離制限手段（ここでは貫通ピン５１）を有するものである（ここでは内面距離制限手段（ここでは貫通ピン５１）は前記連続方向（長手方向Ｙ）に沿って等間隔毎に設けられている。）。
本防止材１１においては、内面距離制限手段（貫通ピン５１）が、袋体（袋部２１のうち折縁部２４と横融着部３１との間の部分）を貫通する棒状又は線状の貫通部（ここでは連結部５３）と、貫通部（連結部５３）の一端に取り付けられ袋体（袋部２１のうち折縁部２４と横融着部３１との間の部分）の外面に当接する一端当接部５５と、貫通部（連結部５３）の他端に取り付けられ袋体（袋部２１のうち折縁部２４と横融着部３１との間の部分）の外面に当接する他端当接部５７と、を含んでなるものである。
【００５０】
本防止材１１は、袋体（袋部２１のうち折縁部２４と横融着部３１との間の部分）の両端近傍に取り付けられた縛着ひも６１を有するものである。
本防止材１１においては、前記植物バイオマスは、プレーナ−屑、オガ屑、樹皮、葉、モミ殻、ワラ、刈草よりなる群より選ばれる１又は２以上のものの混合物である（ここではヒノキのプレーナー屑）。
本防止材１１においては、袋体（袋部２１のうち折縁部２４と横融着部３１との間の部分）が、外部から内部（内部空間２２）への液体水の通過を禁止し、内部（内部空間２２）から外部への水蒸気の通過を許容するものである。
【００５１】
図６に示されような樹木１０１に本防止材１１を装着した構造は、樹木１０１と、樹木１０１に巻き付けられた本防止材１１と、を含んでなる寒害防止構造である。
図６に示されような樹木１０１に本防止材１１を装着した構造は、上段に巻き付けられた本防止材１１の帯体（下耳部２９）が、下段に巻き付けられた本防止材１１を樹木１０１から見て外方から覆うように巻き付けられたものである。
図６に示されような樹木１０１に本防止材１１を装着した構造は、樹木１０１に巻き付けられた本防止材１１の端シート部（端耳部２７、２８）が、樹木１０１に固定されたものである（ここでは樹木１０１に巻き付けられた端シート部（端耳部２７、２８）が縛着ひも６１により樹木１０１に縛り付けられて固定されている。）。
【００５２】
そして、上述の本防止材１１の製造方法は、前記袋体（袋部２１のうち折縁部２４と横融着部３１との間の部分）を形成する開口（袋物２２１の開放された前記一端（図７においては右端））を有する袋物２２１の内部空間（袋物２２１内部）に、該開口（袋物２２１の開放された前記一端）から植物バイオマス（ここではプレーナー屑３０１）をスクリューコンベア４０５によって装入する充填ステップ（ここでは上記製造方法の第２ステップ）と、該開口（袋物２２１の開放された前記一端）を封鎖し該袋物２２１を前記袋体（袋部２１のうち折縁部２４と横融着部３１との間の部分）とする封鎖ステップ（ここでは上記製造方法の第３ステップ）と、を含んでなる、製造方法である。
また、上述の本防止材１１の製造方法は、一端当接部５５及び他端当接部５７が前記袋体（袋部２１のうち折縁部２４と横融着部３１との間の部分）の外部に存するように、前記袋体（袋部２１のうち折縁部２４と横融着部３１との間の部分）の外面から貫通部（連結部５３）をうちこんで前記袋体（袋部２１のうち折縁部２４と横融着部３１との間の部分）を貫通させる貫通ステップ（ここでは上記製造方法の第４ステップ）を充填ステップ（上記製造方法の第２ステップ）の後に含むものである。
【００５３】
上述の本防止材１１の使用方法は、本防止材１１を用いた寒害防止方法であって、寒害を防止すべき樹木１０１に本防止材１１を巻き付けて装着する装着ステップ（上記使用方法の第１ステップ、第２ステップ及び第３ステップ）を含んでなる、寒害防止方法である。
そして、本防止材１１の使用方法は、本防止材１１を用いた寒害防止方法であって、装着ステップ（上記使用方法の第１ステップ、第２ステップ及び第３ステップ）において、上段に巻き付けられた本防止材１１の帯体（下耳部２９）が、下段に巻き付けられた本防止材１１を樹木１０１から見て外方から覆うように巻き付けるものである。
また、本防止材１１の使用方法は、本防止材１１を用いた寒害防止方法であって、装着ステップ（上記使用方法の第１ステップ、第２ステップ及び第３ステップ）において、前記樹木１０１に巻き付けた端シート部（端耳部２７、２８）を、前記樹木１０１に固定する（上記使用方法の第１ステップ及び第３ステップ）ものである。
【符号の説明】
【００５４】
１１        本防止材
２１        袋部
２２        内部空間
２３        表シート
２３ａ      内面
２３ｂ      外面
２４        折縁部
２５        裏シート
２５ａ      内面
２５ｂ      外面
２６        自由縁部
２６ａ      表縁部
２６ｂ      裏縁部
２７、２８  端耳部
２９        下耳部
３１        横融着部
３２        下融着部
３３        上融着部
３５、３６  端融着部
３５ａ、３５ｂ、３６ａ、３６ｂ  融着部
４１        充填物
５１        貫通ピン
５３        連結部
５５        一端当接部
５７        他端当接部
６１        縛着ひも
１０１        樹木
２２１        袋物
３０１        プレーナー屑
４０１        スクリューコンベア装置
４０３        ホッパー
４０５        スクリューコンベア
４０７        スクリュー
４０８        ケーシング
４０９        駆動部
【図１】
0003200112.tif 000003
【図２】
0003200112.tif 000004
【図３】
0003200112.tif 000005
【図４】
0003200112.tif 000006
【図５】
0003200112.tif 000007
【図６】
0003200112.tif 000008
【図７】
0003200112.tif 000009
【図８】
0003200112.tif 000010
【図９】
0003200112.tif 000011
【図１０】
0003200112.tif 000012
【図１１】
0003200112.tif 000013
【図１２】
0003200112.tif 000014